(57)【要約】【課題】製本機能と折りの機能が合わさった時に問題となりうる、折りの位置、製本可能枚数などを制御することによって、使い勝手が良く、製本不良や機器の停止を未然に防ぐことができる製本装置システム、製本装置システムの制御方法、及び画像形成装置を提供することにある。【解決手段】製本装置システムは、データを記憶する記憶手段を持ち、記憶手段のデータを印刷可能な画像形成装置１と、該画像形成装置１から送られた用紙に折りを施す折り装置２と、該折り装置２から送られた用紙である中紙を複数枚まとめ、該中紙束に対して糊付け処理を行い、その後その束をくるむように表紙付けを行う製本処理可能な製本装置３と、前記画像形成装置１、前記折り装置２及び製本装置３を制御する制御部１１と、を備え、同幅サイズのサイズ混載が確認された後の折りモードの選択によって、印刷は、前記中紙の搬送方向の長さが製本処理後のサイズ以下になることが確認された場合に開始される。【選択図】図２
2010072313.tif 000002
【特許請求の範囲】
【請求項１】
データを記憶する記憶手段を持ち、該記憶手段から出力されたデータを印刷可能な画像形成装置と、該画像形成装置から送られた用紙に折りを施す折り装置と、該折り装置から送られた用紙である中紙を複数枚まとめ、該中紙束に対して糊付け処理を行い、その後前記中紙束をくるむように表紙付けを行う製本処理が可能な製本装置と、前記画像形成装置、前記折り装置及び製本装置を制御する制御部と、を具備した製本装置システムにおいて、
同幅サイズのサイズ混載が確認された後の折りモードの選択によって、印刷は、前記中紙の搬送方向の長さが製本処理後のサイズ以下になることが確認された場合に開始されることを特徴とする製本装置システム。
【請求項２】
前記折りモードにより施される折り位置が、前記製本処理を行う際に入力される前記製本処理後のサイズ入力によって制御されることを特徴とする請求項１記載の製本装置システム。
【請求項３】
前記折りモードが設定された時、製本可能枚数の最小枚数は現状のままで、最大枚数を少なくなるように変更することを特徴とする請求項１記載の製本装置システム。
【請求項４】
前記最大枚数の変更を、施す折りモード及び挿入される折り枚数に応じて制御することを特徴とする請求項１記載の製本装置システム。
【請求項５】
前記制御部は、表紙に対しては前記折りモードが反映されないように制御することを特徴とする請求項１記載の製本装置システム。
【請求項６】
前記折りを施した後に、前記製本処理後のサイズにならない場合には、印刷を開始しないとともに前記操作部の表示部に警告を表示することを特徴とする請求項２記載の製本装置システム。
【請求項７】
データを記憶する記憶手段を持ち、記憶手段のデータを印刷可能な画像形成装置と、該画像形成装置から送られた用紙に折りを施す折り装置と、該折り装置から送られた用紙である中紙を複数枚まとめ、該中紙束に対して糊付け処理を行い、その後前記中紙束をくるむように表紙付けを行う製本処理可能な製本装置と、前記画像形成装置、前記折り装置及び製本装置を制御する制御部と、を具備した製本装置システムの制御方法において、
同幅サイズのサイズ混載を確認する工程と、折りモードを選択する工程と、中紙が搬送される方向の長さが製本処理後のサイズ以下になる条件を確認する工程と、当該条件の確認後に印刷を開始する工程と、を含むことを特徴とする製本装置システムの制御方法。
【請求項８】
前記制御部によって、前記折りモードにより施される折り位置が、製本処理を行う際に入力される製本処理後のサイズ入力によって制御されることを特徴とする請求項７記載の製本装置システムの制御方法。
【請求項９】
前記折りモードが設定された時、製本可能枚数の最小枚数は現状のままで、最大枚数を少なくなるように変更することを特徴とする請求項７記載の製本装置システムの制御方法。
【請求項１０】
前記最大枚数の変更を、施す折りモード及び挿入される折り枚数により制御することを特徴とする請求項７記載の製本装置システムの制御方法。
【請求項１１】
前記制御部は、表紙に対しては前記折りモードが反映されないように制御することを特徴とする請求項７記載の製本装置システムの制御方法。
【請求項１２】
折りを施しても前記製本処理後のサイズにならない場合には、印刷を開始しないとともに表示部に警告を表示することを特徴とする請求項７記載の製本装置システムの制御方法。
【請求項１３】
データを記憶する記憶手段を持ち、記憶手段のデータを印刷可能な画像形成装置と、該画像形成装置から送られた用紙に折りを施す折り装置と、該折り装置から送られた用紙である中紙を複数枚まとめ、該中紙束に対して糊付け処理を行い、その後前記中紙束をくるむように表紙付けを行う製本処理可能な製本装置と、前記画像形成装置、前記折り装置及び製本装置を制御する制御部と、を具備した製本装置システムに使用する画像形成装置において、
同幅サイズのサイズ混載の確認後、折りモードを選択することにより、中紙が搬送される方向の長さが製本処理後のサイズ以下になることを確認した場合に印刷が開始されることを特徴とする画像形成装置。
【請求項１４】
前記制御部によって、前記折りモードにより施される折り位置が、前記製本処理を行う際に入力される製本処理後のサイズ入力によって制御されることを特徴とする請求項１３記載の画像形成装置。
【請求項１５】
前記折りモードが設定された時、製本可能枚数の最小枚数は現状のままで、最大枚数を少なくなるように変更することを特徴とする請求項１３記載の画像形成装置。
【請求項１６】
前記最大枚数の変更を、施す折りモード及び挿入される折り枚数により制御することを特徴とする請求項１５記載の画像形成装置。
【請求項１７】
前記制御部は、表紙に対しては前記折りモードが反映されないように制御することを特徴とする請求項１３記載の画像形成装置。
【請求項１８】
前記折りを施した後に、前記製本処理後のサイズにならない場合には、印刷を開始しないとともに前記操作部の表示部に警告を表示することを特徴とする請求項１４記載の画像形成装置。
【発明の詳細な説明】
【技術分野】
【０００１】
本発明は、画像形成装置に併設され、当該装置から排出された用紙の糊付け製本を行う製本処理装置を有する製本装置システム、製本装置システムの制御方法、及び画像形成装置に関するものである。
【背景技術】
【０００２】
近年、複写機、プリンタ等の画像出力装置の下流側に配置され、出力される記録紙にパンチや綴じを行ったりする装置、表紙や合い紙を挿入するインサータ、大量の用紙をスタックする装置、製本を行う製本装置、折り動作を行うフォルダ装置などの後処理装置や大量に給紙を行う給紙装置などが、一般に広く知られている（例えば、特許文献１参照）。
特許文献１には、コンピュータとなるサイズの原稿からの複写が行われた転写紙が排出された場合においても、自動的に綴じ作業のできる構成を備えた画像形成装置が開示されている。
しかし、昨今、１台の複写機に対して様々な機能を有する装置を接続することで、機能を追加できることが求められ、さらに、その機能はユーザーが選択できるようにすることが求められている。当然ながら、中紙を複数枚束ねて側面に糊を塗布し、前記中紙束を表紙によってくるむ製本機機能に折りを施した用紙を挿入したい要望もある。
【特許文献１】特開平０６−２７７７２号公報
【発明の開示】
【発明が解決しようとする課題】
【０００３】
しかしながら、前述した中紙束を表紙によってくるむ製本機機能に折りを施すと、この用紙を折ることにより、用紙１枚の大きさが変更されてしまって、製本不良に至っていた。
そこで、本発明の目的は、上述した実情を考慮して、製本機能と折りの機能が合わさった時に問題となりうる、折りの位置、製本可能枚数などを制御することによって、使い勝手が良く、製本不良や機器の停止を未然に防ぐことができる製本装置システム、この製本装置システムに使用する画像形成装置及び製本装置システムの制御方法を提供することにある。
【課題を解決するための手段】
【０００４】
上記の課題を解決するために、請求項１に記載の発明は、データを記憶する記憶手段を持ち、該記憶手段から出力されたデータを印刷可能な画像形成装置と、該画像形成装置から送られた用紙に折りを施す折り装置と、該折り装置から送られた用紙（以降中紙）を複数枚まとめ、前記用紙束（以降、中紙束）に対して糊付け処理を行い、その後前記中紙束をくるむように表紙付けを行う製本処理可能な製本装置と、前記画像形成装置、前記折り装置及び製本装置を制御する制御部と、を具備した製本装置システムにおいて、同幅サイズのサイズ混載が確認された後の折りモードの選択によって、印刷は、前記中紙の搬送方向の長さが製本処理後のサイズ以下になることが確認された場合に開始される製本装置システムを特徴とする。
また、請求項２に記載の発明は、前記折りモードにより施される折り位置が、前記製本処理を行う際に入力される前記製本処理後のサイズ入力によって制御される請求項１記載の製本装置システムを特徴とする。
また、請求項３に記載の発明は、前記折りモードが設定された時、製本可能枚数の最小枚数は現状のままで、最大枚数を少なくなるように変更する請求項１記載の製本装置システムを特徴とする。
【０００５】
また、請求項４に記載の発明は、前記最大枚数の変更を、施す折りモード及び挿入される折り枚数に応じて制御する請求項１記載の製本装置システムを特徴とする。
また、請求項５に記載の発明は、前記制御部が、表紙に対しては前記折りモードが反映されないように制御する請求項１記載の製本装置システムを特徴とする。
また、請求項６に記載の発明は、前記折りを施した後に、前記製本処理後のサイズにならない場合には、印刷を開始しないとともに前記操作部の表示部に警告を表示する請求項２記載の製本装置システムを特徴とする。
【０００６】
また、請求項７に記載の発明は、データを記憶する記憶手段を持ち、記憶手段のデータを印刷可能な画像形成装置と、該画像形成装置から送られた用紙に折りを施す折り装置と、該折り装置から送られた用紙である中紙を複数枚まとめ、該中紙束に対して糊付け処理を行い、その後前記中紙束をくるむように表紙付けを行う製本処理可能な製本装置と、前記画像形成装置、前記折り装置及び製本装置を制御する制御部と、を具備した製本装置システムの制御方法において、同幅サイズのサイズ混載を確認する工程と、折りモードを選択する工程と、中紙が搬送される方向の長さが製本処理後のサイズ以下になる条件を確認する工程と、当該条件の確認後に印刷を開始する工程と、を含む製本装置システムの制御方法を特徴とする。
また、請求項８に記載の発明は、前記制御部によって、前記折りモードにより施される折り位置が、製本処理を行う際に入力される製本処理後のサイズ入力によって制御される請求項７記載の製本装置システムの制御方法を特徴とする。
また、請求項９に記載の発明は、前記折りモードが設定された時、製本可能枚数の最小枚数は現状のままで、最大枚数を少なくなるように変更する請求項７記載の製本装置システムの制御方法を特徴とする。
【０００７】
また、請求項１０に記載の発明は、前記最大枚数の変更を、施す折りモード及び挿入される折り枚数により制御する請求項７記載の製本装置システムの制御方法を特徴とする。
また、請求項１１に記載の発明は、前記制御部が、表紙に対しては前記折りモードが反映されないように制御する請求項７記載の製本装置システムの制御方法を特徴とする。
また、請求項１２に記載の発明は、折りを施しても前記製本処理後のサイズにならない場合には、印刷を開始しないとともに表示部に警告を表示する請求項７記載の製本装置システムの制御方法を特徴とする。
【０００８】
また、請求項１３に記載の発明は、データを記憶する記憶手段を持ち、記憶手段のデータを印刷可能な画像形成装置と、該画像形成装置から送られた用紙に折りを施す折り装置と、該折り装置から送られた用紙である中紙を複数枚まとめ、該中紙束に対して糊付け処理を行い、その後前記中紙束をくるむように表紙付けを行う製本処理可能な製本装置と、前記画像形成装置、前記折り装置及び製本装置を制御する制御部と、を具備した製本装置システムに使用する画像形成装置において、同幅サイズのサイズ混載の確認後、折りモードを選択することにより、中紙が搬送される方向の長さが製本処理後のサイズ以下になることを確認した場合に印刷が開始される画像形成装置を特徴とする。
また、請求項１４に記載の発明は、前記制御部によって、前記折りモードにより施される折り位置が、前記製本処理を行う際に入力される製本処理後のサイズ入力によって制御される請求項１３記載の画像形成装置を特徴とする。
また、請求項１５に記載の発明は、前記折りモードが設定された時、製本可能枚数の最小枚数は現状のままで、最大枚数を少なくなるように変更する請求項１３記載の画像形成装置を特徴とする。
【０００９】
また、請求項１６に記載の発明は、前記最大枚数の変更を、施す折りモード及び挿入される折り枚数により制御する請求項１５記載の画像形成装置を特徴とする。
また、請求項１７に記載の発明は、前記制御部が、表紙に対しては前記折りモードが反映されないように制御する請求項１３記載の画像形成装置を特徴とする。
また、請求項１８に記載の発明は、前記折りを施した後に、前記製本処理後のサイズにならない場合には、印刷を開始しないとともに前記操作部の表示部に警告を表示する請求項１４記載の画像形成装置を特徴とする。
【発明の効果】
【００１０】
本発明によれば、同幅のサイズ混載の製本モードと折りモードが選択された時点で、最終的な製本物に合わせて折りを行い、さらに中紙の枚数が設定されるので、本来ユーザーが求めていない印刷が開始されてしまうなどの、ユーザーの手間や資源の無駄が生じる不具合を未然に防ぐことができるようになり、使い勝手の良い製本装置システムを提供できる。
【発明を実施するための最良の形態】
【００１１】
以下、図面を参照して、本発明の実施の形態を詳細に説明する。図１は本発明の実施の形態に係る製本装置が接続された製本装置システムの全体構成図である。図２は図１の製本装置システムの制御を説明するブロック図である。
本発明の実施の形態を、画像形成装置１に折り機Ｆが取り付けられ、製本装置が接続された製本装置システムを想定し、図１及び図２を参照して以下に説明をする。
図１及び図２において、製本装置システム１０には画像形成装置１、折り装置Ｆ、製本装置２が横方向に、図１では右方向から順に並置されている。この製本装置システム１０は画像形成装置である複写機１に操作部４を有している。この操作部４には表示部５があり、その表示画面には製本動作設定、製本の詳細設定、非印刷の警告表示等が表示される。
さらに述べれば、製本装置システム１０は、データを記憶する記憶手段（図示せず）を持ち、この記憶手段から出力されたデータを印刷可能な画像形成装置１と、この画像形成装置１から送られた用紙に折りを施す折り装置Ｆと、この折り装置Ｆから送られた用紙（以降、中紙）を複数枚まとめ、その束（以降中紙束）に対して糊付け処理を行い、その後その束をくるむように表紙付けを行う製本処理が可能な製本装置２と、を含んでいる。
【００１２】
製本装置システム１０には、また、製本モードボタン６、サイズ混載モードスイッチ７、製本処理後のサイズセンサ８、折りモードボタン９が設けられ、これらが制御部１１に接続されている。なお、ここでいう、「サイズ混載」は、幅方向の長さが同じで、用紙搬送方向の長さが異なる用紙が混ざって載置されることを意味し、例えば、Ａ３用紙とＡ４用紙とが載置されることを示している。
画像形成装置１から送られた用紙は製本束の中紙（本で表紙がつかない束）を揃えるために図中、符号Ｘであるトレイに送られ、紙毎に揃え動作が施される。（揃え動作は従来のフィニッシャと同等なのでここでは説明は省略する）
製本束の中紙の最終紙がトレイＸにて揃え終わったら、本体から表紙が送られてくる。表紙が送られてきたら、分岐爪１５を切り換えて搬送経路Ｂへ用紙を搬送する。そして製本の背になる部分がコロ１３の位置にきたら、表紙を停止させる。この時に表紙の大きさは中紙の倍の大きさ（中紙がＡであれば表紙はＡ３サイズであるなど）を使用する。
その後、後端フェンス１６が退避してコロ１０ａによりＸにて揃えられた用紙束が、糊付けを行うため搬送される。コロ１０ｂから用紙先端（製本の背になる部分）が出たら束を停止させて、糊桶１７を束の下に移動して糊付けを行う。その後、糊桶１７を退避させて予め搬送されている表紙に糊付けを行った束を付ける。その後、背板１２を退避させるとともにコロ１３を駆動させ、製本された束を製本トレイ１４へ排出する。
【００１３】
図３はコピースタート時のサイズ混載確認フローを説明するフローチャートである。製本装置２が接続されたことを認識したら、操作部４に製本モードボタン６によって製本動作を行うための製本モードが表示される。この製本モードが選択されたら、サイズ混載モードスイッチ７でサイズ混載のモードか否かを確認する（Ｓ１）。
サイズ混載モードでなければ（Ｓ１でＮｏ）、そのまま製本動作設定画面にはいって製本印刷動作を開始する。次に、同幅のサイズ混載モードかどうかを判断し（Ｓ２）、同幅のサイズ混載モードならば、折りモードが選択可能か判断し（Ｓ３）、折りモード選択が可能ならば、折りモードが選択されているかどうかを判断する（Ｓ４）。
製本の仕上りサイズの中紙搬送長さが折りを施した用紙の中紙搬送方向長さより大きくなっているか確認する（Ｓ５）。製本の仕上りサイズの中紙搬送長さが折りを施した用紙の中紙搬送方向長さより大きいならば、製本動作を開始する（Ｓ６）。
【００１４】
製本の仕上りサイズの中紙搬送長さが折りを施した用紙の中紙搬送方向長さより小さいならば、操作部にエラーを表示して（Ｓ７）、製本印刷動作を中止する（Ｓ８）。判断できない場合は、画面上にて確認画面を出しても良い。折り機能が使用できない、もしくは同幅でないならば、製本設定を中止するように促す。
製本装置システムの本実施の形態において、折りモードにより施される折り位置は、製本処理を行う際に入力される製本処理後のサイズ入力によって制御される。また、折りモードが設定されたら、製本可能枚数の最小枚数は現状のままで、最大枚数を少なくなるように変更する。
制御部１１（図２）は、最大枚数の変更を、施す折りモード及び挿入される折り枚数に応じて制御する。また、制御部１１は表紙に対しては前記折りモードが反映されないように制御する。さらに、折りを施した後に、製本処理後のサイズにならない場合には、印刷を開始しないとともに操作部４（図２）の表示部５に警告を表示する。
上述のごとく、同幅で折り機能が使用できる場合は、製本の詳細設定画面へ移行する。製本の仕上りサイズ（製本物の最終的な大きさ）が入力されたら、製本の仕上りサイズの中紙搬送長さが折りを施した用紙の中紙搬送方向長さより大きくなっているか確認する。もしなっていたら製本動作を開始する。
【００１５】
図４は製本動作中の折り用紙枚数の確認フローを説明するフローチャートである。図４において、サイズ混載モード及び製本モードでスタートしたかどうかを判断し（Ｓ１１）、そうであるならば、次に、製本動作を開始し、折りが施された用紙が搬送されてきたか確認する（Ｓ１２）。
もし折りが施された用紙が搬送されてきたら、予め決められていた換算枚数Ｘを、これまでに送られてきた用紙のトータル枚数に加える（Ｓ１３）。この後、トータル枚数が製本可能最大枚数を越していないか判断して（Ｓ１４）、製本可能最大枚数を超えていない場合は製本動作を継続する（Ｓ１７）。
ステップ（Ｓ１４）で、もしトータル枚数＞製本可能最大枚数となった場合には、操作部４（図２）にエラーを表示し（Ｓ１５）、製本動作を中止する（Ｓ１６）。この時の換算枚数は、製本最小可能枚数時には使用しない。また、換算枚数Ｘは、用紙の厚さ、サイズ、折り方などにより変更してもよい。
【００１６】
このように、本発明によれば、図１に示すように、製本装置システム１０は、データを記憶する記憶手段を持ち、記憶手段のデータを印刷可能な画像形成装置１と、該画像形成装置から送られた用紙に折りを施す折り装置Ｆと、該折り装置Ｆから送られた用紙である中紙を複数枚まとめ、該中紙束に対して糊付け処理を行い、その後前記中紙束をくるむように表紙付けを行う製本処理可能な製本装置２と、前記画像形成装置、前記折り装置及び製本装置を制御する制御部１１と、を具備している。
この製本装置システムは、同幅サイズのサイズ混載を確認する工程と、折りモードを選択する工程と、中紙が搬送される方向の長さが製本処理後のサイズ以下になる条件を確認する工程と、当該条件の確認後に印刷を開始する工程と、を含むように制御される。
上述したように、本発明では、同幅のサイズ混載の製本モードと折りモードが選択された時点で、最終的な製本物に合わせて折りを行い、さらに中紙の枚数が設定されるので、本来ユーザーが求めていない印刷が開始されてしまうなど、ユーザーの手間や資源の無駄が生じる不具合を未然に防ぐことができるようになり、使い勝手の良い製本装置システム装置、この製本装置システムに使用する画像形成装置及び製本装置システムの制御方法を提供することができる。
【図面の簡単な説明】
【００１７】
【図１】本発明の実施の形態に係る製本装置が接続された製本装置システムの全体構成図である。
【図２】図１の製本装置システムの制御を説明するブロック図である。
【図３】コピースタート時のサイズ混載確認フローを説明するフローチャートである。
【図４】製本動作中の折り用紙枚数の確認フローを説明するフローチャートである。
【符号の説明】
【００１８】
１  画像形成装置、２  折り装置、３  製本装置、４  操作部、５  表示部、６  製本モードボタン、７  混載確認スイッチ、８  製本処理後のサイズセンサ、９  折りモードボタン、１０  製本装置システム、１１  制御部
【図１】
2010072313.tif 000003
【図２】
2010072313.tif 000004
【図３】
2010072313.tif 000005
【図４】
2010072313.tif 000006